(57)【要約】【課題】  シリコーン樹脂の除去効果に特に優れるシリコーン樹脂用洗浄剤を提供する。【解決手段】  （１）２−アセトキシ−１−メトキシプロパンおよび炭素数９〜１３の飽和炭化水素を含有するシリコーン樹脂用洗浄剤および（２）シリコーン樹脂が付着した被洗浄物を、２−アセトキシ−１−メトキシプロパンおよび炭素数９〜１３の飽和炭化水素からなる洗浄剤によって洗浄する方法。【選択図】  なし【特許請求の範囲】
【請求項１】
２−アセトキシ−１−メトキシプロパンおよび炭素数９〜１３の飽和炭化水素を含有するシリコーン樹脂用洗浄剤。
【請求項２】
シリコーン樹脂が付着した被洗浄物を、２−アセトキシ−１−メトキシプロパンおよび炭素数９〜１３の飽和炭化水素からなる洗浄剤によって洗浄する方法。
【発明の詳細な説明】
【技術分野】
【０００１】
本発明は、シリコーン樹脂の付着した被洗浄物の洗浄に用いる洗浄剤に関する。
【背景技術】
【０００２】
従来、シリコーン樹脂の吐出装置などの洗浄には、塩化メチレンなどのハロゲン系炭化水素が用いられていた。しかし、ハロゲン系炭化水素にはオゾン層破壊および人体への悪影響などの懸念があるため、環境負荷が小さく、且つ安全性の高い洗浄剤が開発されている。シリコーン樹脂用に限らず、従来知られている洗浄剤としては、例えば、炭素数７〜１１の飽和炭化水素と酢酸アルコキシアルキルエステルとを含有してなる組成物および該組成物からなる洗浄剤（特許文献１参照）；１−アセトキシ−３−メトキシ−３−メチルブタンまたは２−アセトキシ−１−メトキシプロパンと沸点が１２０〜２００℃の飽和脂肪族炭化水素からなる洗浄剤（特許文献２参照）；（ａ）γ−ブチロラクトンおよび（ｂ）炭素数１０以上の炭化水素、並びに（ｃ）炭素数５以上の脂肪酸エステル、特定のグリコールエーテルおよび該グリコールエーテルのアセテートから選ばれる少なくとも一種からなる１液性硬化樹脂用洗浄剤（特許文献３参照）；（ｄ）アジピン酸のジアルキルエステル、こはく酸のジアルキルエステルまたはグルタル酸のジアルキルエステルから選ばれた少なくとも一種、（ｅ）炭素数１０以上の炭化水素、および（ｆ）炭素数５以上の脂肪酸エステル、特定のグリコールエーテル、該グリコールエーテルアセテートの少なくとも一種からなる２液硬化型樹脂用洗浄剤（特許文献４参照）が挙げられる。
【０００３】
【特許文献１】特開２０００−３０３０９４号公報
【特許文献２】特開平６−３３００９３号公報
【特許文献３】特開平９−３０２３８７号公報
【特許文献４】特開平９−２０８９９３号公報
【発明の開示】
【発明が解決しようとする課題】
【０００４】
特許文献１および特許文献２に記載の洗浄剤は、後述する本発明の洗浄剤組成を一部包含している。しかし、特許文献１には、フラックス、グリース、油、ワックスインキなどの除去剤用途や金属製精密機械部品、電子部品、光学レンズなどの洗浄剤用途が記載されているものの、シリコーン樹脂を除去することに関する記載は何ら無く、教示も示唆も無い。また、特許文献２には、切削油、加工油、フラックス、アスファルトピッチ、防錆塗料などの油脂性物質を除去することについて記載されているが、シリコーン樹脂を除去することに関しては何ら記述が無く、教示も示唆もない。また特許文献３および４に記載された洗浄剤は、エポキシ樹脂、ウレタン樹脂、ポリエステル樹脂、シリコーン樹脂の洗浄に使用できる旨が示唆されているが、実施例にはシリコーン樹脂を洗浄していた例が無く、シリコーン樹脂の除去効果は不明である。そこで、本発明者らが特許文献３および４に記載の洗浄剤を用いて、被洗浄物からシリコーン樹脂を除去する実験を行なったところ、シリコーン樹脂に対する除去効果は不十分であることがわかった。また、特許文献３および４の実施例にて具体的に記載されている洗浄剤において、中には相分離してしまうものがあり、十分な洗浄能力を期待できないという問題もあった。
しかして、本発明は、上記問題を解決し、シリコーン樹脂の除去効果に特に優れるシリコーン樹脂用洗浄剤を提供することにある。
【課題を解決するための手段】
【０００５】
本発明によれば、上記の課題は、２−アセトキシ−１−メトキシプロパンおよび炭素数９〜１３の飽和炭化水素を含有するシリコーン樹脂用洗浄剤、およびシリコーン樹脂が付着した被洗浄物を、２−アセトキシ−１−メトキシプロパンおよび炭素数９〜１３の飽和炭化水素からなる洗浄剤によって洗浄する方法を提供することによって解決される。
【発明の効果】
【０００６】
本発明の洗浄剤は、シリコーン樹脂の除去用途において、特に優れた洗浄効果を有し、被洗浄物に付着したシリコーン樹脂を短時間で効率良く除去することができる。
【発明を実施するための最良の形態】
【０００７】
本発明における「シリコーン樹脂用洗浄剤」とは、被洗浄物に付着したシリコーン樹脂を洗浄するための洗浄剤のことをいう。また、本発明における「被洗浄物」とは、シリコーン樹脂が付着した物を広く指し、例えば、シリコーン樹脂の吐出装置（１液または２液硬化型のいずれでもよい。）の装置内および吐出部などが挙げられる。
【０００８】
本発明における洗浄剤で除去する対象としてのシリコーン樹脂に特に制限は無く、未変性シリコーン樹脂はもちろんのこと、エポキシ樹脂、ポリエステル樹脂、アクリル樹脂樹脂、アルキッド樹脂などの樹脂と変性して得られる変性シリコーン樹脂も含む。また、シリコーン樹脂は、１液硬化型であっても２液硬化型であってもよい。シリコーン樹脂としては、例えばＣＹ５１−０１９（商品名、東レ・ダウコーニング株式会社製）、ＣＹ５１−０３８（商品名、東レ・ダウコーニング株式会社製）、ＣＹ５１−０６５（商品名、東レ・ダウコーニング株式会社製）、ＣＹ５２−２７６（商品名、東レ・ダウコーニング株式会社製）、ＤＡ６５０１（商品名、東レ・ダウコーニング株式会社製）、ＤＡ６５０３（商品名、東レ・ダウコーニング株式会社製）、７９２０（商品名、東レ・ダウコーニング株式会社製）、ＤＡ６５２３（商品名、東レ・ダウコーニング株式会社製）、ＤＡ６５２４（商品名、東レ・ダウコーニング株式会社製）、ＤＡ６５３３（商品名、東レ・ダウコーニング株式会社製）、ＥＡ３０００（商品名、東レ・ダウコーニング株式会社製）、ＥＡ３３００（商品名、東レ・ダウコーニング株式会社製）、ＥＡ−６２４７（商品名、東レ・ダウコーニング株式会社製）、ＥＡ−６２６５（商品名、東レ・ダウコーニング株式会社製）、ＥＡ−６７００（商品名、東レ・ダウコーニング株式会社製）、ＥＧ−３０００（商品名、東レ・ダウコーニング株式会社製）、ＥＧ６３０１（商品名、東レ・ダウコーニング株式会社製）、ＧＴ１０００シリーズ（商品名、東レ・ダウコーニング株式会社製）、ＧＴ１６００シリーズ（商品名、東レ・ダウコーニング株式会社製）、ＧＴ４２０１（商品名、東レ・ダウコーニング株式会社製）、ＧＴ６２０１（商品名、東レ・ダウコーニング株式会社製）、ＨＣ１０００（商品名、東レ・ダウコーニング株式会社製）、ＨＣ１１００（商品名、東レ・ダウコーニング株式会社製）、ＨＣ２０００（商品名、東レ・ダウコーニング株式会社製）、ＨＣ２１００（商品名、東レ・ダウコーニング株式会社製）、ＪＣＲ６１０１（商品名、東レ・ダウコーニング株式会社製）、ＪＣＲ６１０１ＵＰ（商品名、東レ・ダウコーニング株式会社製）、ＪＣＲ６１０９（商品名、東レ・ダウコーニング株式会社製）、ＪＣＲ６１１０（商品名、東レ・ダウコーニング株式会社製）、ＪＣＲ６１２１（商品名、東レ・ダウコーニング株式会社製）、ＪＣＲ６１２２（商品名、東レ・ダウコーニング株式会社製）、ＪＣＲ６１２５（商品名、東レ・ダウコーニング株式会社製）、ＪＣＲ６１２６（商品名、東レ・ダウコーニング株式会社製）、ＪＣＲ６１４０（商品名、東レ・ダウコーニング株式会社製）、ＪＣＲ６１４６（商品名、東レ・ダウコーニング株式会社製）、ＪＣＲ６１７５（商品名、東レ・ダウコーニング株式会社製）、ＪＣＲ６２２４（商品名、東レ・ダウコーニング株式会社製）、ＯＥ−６３３６（商品名、東レ・ダウコーニング株式会社製）、Ｑ３−６６４６（商品名、東レ・ダウコーニング株式会社製）、ＳＣ１０２（商品名、東レ・ダウコーニング株式会社製）、ＳＣ４４７１ＣＶ（商品名、東レ・ダウコーニング株式会社製）、ＳＥ１７００（商品名、東レ・ダウコーニング株式会社製）、ＳＥ１７０１（商品名、東レ・ダウコーニング株式会社製）、ＳＥ１７１３（商品名、東レ・ダウコーニング株式会社製）、ＳＥ１７１４（商品名、東レ・ダウコーニング株式会社製）、ＳＥ１７２０ＣＶ（商品名、東レ・ダウコーニング株式会社製）、ＳＥ１７４０（商品名、東レ・ダウコーニング株式会社製）、ＳＥ１７５０（商品名、東レ・ダウコーニング株式会社製）、ＳＥ１８１５ＣＶ（商品名、東レ・ダウコーニング株式会社製）、ＳＥ１８１６ＣＶ（商品名、東レ・ダウコーニング株式会社製）、ＳＥ１８１７ＣＶＭ（商品名、東レ・ダウコーニング株式会社製）、ＳＥ１８８０（商品名、東レ・ダウコーニング株式会社製）、ＳＥ１８８５（商品名、東レ・ダウコーニング株式会社製）、ＳＥ１８８５Ｍ（商品名、東レ・ダウコーニング株式会社製）、ＳＥ１８８６（商品名、東レ・ダウコーニング株式会社製）、ＳＥ１８９１Ｈ（商品名、東レ・ダウコーニング株式会社製）、ＳＥ１８９６ＦＲ（商品名、東レ・ダウコーニング株式会社製）、ＳＥ４４００（商品名、東レ・ダウコーニング株式会社製）、ＳＥ４４０２（商品名、東レ・ダウコーニング株式会社製）、ＳＥ４４１０（商品名、東レ・ダウコーニング株式会社製）、ＳＥ４４２０（商品名、東レ・ダウコーニング株式会社製）、ＳＥ４４３０（商品名、東レ・ダウコーニング株式会社製）、ＳＥ４４４０ＬＰ（商品名、東レ・ダウコーニング株式会社製）、ＳＥ４４４５ＣＶ（商品名、東レ・ダウコーニング株式会社製）、ＳＥ４４５０（商品名、東レ・ダウコーニング株式会社製）、ＳＥ４４８５（商品名、東レ・ダウコーニング株式会社製）、ＳＥ４４８５Ｌ（商品名、東レ・ダウコーニング株式会社製）、ＳＥ４４８６（商品名、東レ・ダウコーニング株式会社製）、ＳＥ４４９０ＣＶ（商品名、東レ・ダウコーニング株式会社製）、ＳＥ９１２０（商品名、東レ・ダウコーニング株式会社製）、ＳＥ９１５２ＨＴ（商品名、東レ・ダウコーニング株式会社製）、ＳＥ９１８４（商品名、東レ・ダウコーニング株式会社製）、ＳＥ９１８５（商品名、東レ・ダウコーニング株式会社製）、ＳＥ９１８６（商品名、東レ・ダウコーニング株式会社製）、ＳＥ９１８６Ｌ（商品名、東レ・ダウコーニング株式会社製）、ＳＥ９１８７Ｌ（商品名、東レ・ダウコーニング株式会社製）、ＳＥ９１８８（商品名、東レ・ダウコーニング株式会社製）、ＳＥ９１８９（商品名、東レ・ダウコーニング株式会社製）、ＳＥ９１８９Ｌ（商品名、東レ・ダウコーニング株式会社製）、ＳＥ９２０６Ｌ（商品名、東レ・ダウコーニング株式会社製）、ＳＥ９２０７（商品名、東レ・ダウコーニング株式会社製）、ＳＨ８５０（商品名、東レ・ダウコーニング株式会社製）、Ｓｙｌｇａｒｄ１８４（商品名、東レ・ダウコーニング株式会社製）、Ｓｙｌｇａｒｄ５２７（商品名、東レ・ダウコーニング株式会社製）、Ｓｙｌｇａｒｄ５７７（商品名、東レ・ダウコーニング株式会社製）、ＴＣ−５０２１（商品名、東レ・ダウコーニング株式会社製）、ＴＣ−５０２２（商品名、東レ・ダウコーニング株式会社製）、ＴＰ１５００（商品名、東レ・ダウコーニング株式会社製）、ＴＰ１５０２（商品名、東レ・ダウコーニング株式会社製）、ＴＰ１５６０（商品名、東レ・ダウコーニング株式会社製）、ＴＰ１６００（商品名、東レ・ダウコーニング株式会社製）、ＴＰ２１００（商品名、東レ・ダウコーニング株式会社製）、ＴＰ２１０１（商品名、東レ・ダウコーニング株式会社製）、ＴＰ２１６０（商品名、東レ・ダウコーニング株式会社製）、ＴＰ２４００（商品名、東レ・ダウコーニング株式会社製）、ＴＰ２４６０（商品名、東レ・ダウコーニング株式会社製）、１−２５７７（商品名、東レ・ダウコーニング株式会社製）、ベルガンＤ（商品名、東レ・ダウコーニング株式会社製）、ベルガンＺ（商品名、東レ・ダウコーニング株式会社製）、ＥＳ−１００１Ｎ（商品名、信越化学工業株式会社製）、ＥＳ−１００２Ｔ（商品名、信越化学工業株式会社製）、ＥＳ−１０２３（商品名、信越化学工業株式会社製）、ＦＥ−５７（商品名、信越化学工業株式会社製）、ＦＥ−６１（商品名、信越化学工業株式会社製）、ＦＥ−１２３（商品名、信越化学工業株式会社製）、ＫＣ−８９（商品名、信越化学工業株式会社製）、ＫＥ−１０３（商品名、信越化学工業株式会社製）、ＫＥ−１０３１（商品名、信越化学工業株式会社製）、ＫＥ−１０５１Ｊ（商品名、信越化学工業株式会社製）、ＫＥ−１０５２（商品名、信越化学工業株式会社製）、ＫＥ−１０５６（商品名、信越化学工業株式会社製）、ＫＥ−１０６（商品名、信越化学工業株式会社製）、ＫＥ−１０８（商品名、信越化学工業株式会社製）、ＫＥ−１０９（商品名、信越化学工業株式会社製）、ＫＥ−１１５１（商品名、信越化学工業株式会社製）、ＫＥ−１１８（商品名、信越化学工業株式会社製）、ＫＥ−１１９（商品名、信越化学工業株式会社製）、ＫＥ１２０４（商品名、信越化学工業株式会社製）、ＫＥ−１２８１（商品名、信越化学工業株式会社製）、ＫＥ−１８００（商品名、信越化学工業株式会社製）、ＫＥ−１８００Ｔ（商品名、信越化学工業株式会社製）、ＫＥ−１８０１（商品名、信越化学工業株式会社製）、ＫＥ−１８０２（商品名、信越化学工業株式会社製）、ＫＥ−１８２０（商品名、信越化学工業株式会社製）、ＫＥ−１８２５（商品名、信越化学工業株式会社製）、ＫＥ−１８３０（商品名、信越化学工業株式会社製）、ＫＥ−１８３１（商品名、信越化学工業株式会社製）、ＫＥ−１８３３（商品名、信越化学工業株式会社製）、ＫＥ−１８４２（商品名、信越化学工業株式会社製）、ＫＥ−１８６１（商品名、信越化学工業株式会社製）、ＫＥ−１８６２（商品名、信越化学工業株式会社製）、ＫＥ−１８６７（商品名、信越化学工業株式会社製）、ＫＥ−１８８４（商品名、信越化学工業株式会社製）、ＫＥ−２００（商品名、信越化学工業株式会社製）、ＫＥ−３４１７（商品名、信越化学工業株式会社製）、ＫＥ−３４１８（商品名、信越化学工業株式会社製）、ＫＥ−３４２３（商品名、信越化学工業株式会社製）、ＫＥ−３４２４Ｇ（商品名、信越化学工業株式会社製）、ＫＥ−３４２７（商品名、信越化学工業株式会社製）、ＫＥ−３４２８（商品名、信越化学工業株式会社製）、ＫＥ−３４６６（商品名、信越化学工業株式会社製）、ＫＥ−３４６７（商品名、信越化学工業株式会社製）、ＫＥ−３４７（商品名、信越化学工業株式会社製）、ＫＥ−３４７５（商品名、信越化学工業株式会社製）、ＫＥ−３４７９（商品名、信越化学工業株式会社製）、ＫＥ３４８（商品名、信越化学工業株式会社製）、ＫＥ３４９０（商品名、信越化学工業株式会社製）、ＫＥ−３４９１（商品名、信越化学工業株式会社製）、ＫＥ−３４９２（商品名、信越化学工業株式会社製）、ＫＥ−３４９３（商品名、信越化学工業株式会社製）、ＫＥ−３４９４（商品名、信越化学工業株式会社製）、ＫＥ−３４９５（商品名、信越化学工業株式会社製）、ＫＥ−３４９７（商品名、信越化学工業株式会社製）、ＫＥ−３４９８（商品名、信越化学工業株式会社製）、ＫＥ−４０ＲＴＶ（商品名、信越化学工業株式会社製）、ＫＥ−４１（商品名、信越化学工業株式会社製）、ＫＥ−４２（商品名、信越化学工業株式会社製）、ＫＥ−４４（商品名、信越化学工業株式会社製）、ＫＥ−４４１（商品名、信越化学工業株式会社製）、ＫＥ−４４５（商品名、信越化学工業株式会社製）、ＫＥ−４５（商品名、信越化学工業株式会社製）、ＫＥ−４５Ｓ（商品名、信越化学工業株式会社製）、ＫＥ−４８９０（商品名、信越化学工業株式会社製）、ＫＥ−４８９５（商品名、信越化学工業株式会社製）、ＫＥ−４８９６（商品名、信越化学工業株式会社製）、ＫＥ−４８９７（商品名、信越化学工業株式会社製）、ＫＥ−４８９８（商品名、信越化学工業株式会社製）、ＫＥ−５１３（商品名、信越化学工業株式会社製）、ＫＥ−５２１（商品名、信越化学工業株式会社製）、ＫＥ−６６（商品名、信越化学工業株式会社製）、ＫＰ−６４（商品名、信越化学工業株式会社製）、ＫＰ−８５１（商品名、信越化学工業株式会社製）、ＫＲ−１１４Ａ（商品名、信越化学工業株式会社製）、ＫＲ−１６５（商品名、信越化学工業株式会社製）、ＫＲ−１６９（商品名、信越化学工業株式会社製）、ＫＲ−２１２（商品名、信越化学工業株式会社製）、ＫＲ−２１３（商品名、信越化学工業株式会社製）、ＫＲ−２２０Ｌ（商品名、信越化学工業株式会社製）、ＫＲ−２４２Ａ（商品名、信越化学工業株式会社製）、ＫＲ−２５１（商品名、信越化学工業株式会社製）、ＫＲ−２５５（商品名、信越化学工業株式会社製）、ＫＲ−２７１（商品名、信越化学工業株式会社製）、ＫＲ−２８２（商品名、信越化学工業株式会社製）、ＫＲ−３００（商品名、信越化学工業株式会社製）、ＫＲ−３１１（商品名、信越化学工業株式会社製）、ＫＲ
−４００（商品名、信越化学工業株式会社製）、ＫＲ−５００（商品名、信越化学工業株式会社製）、ＫＲ−２０３８（商品名、信越化学工業株式会社製）、ＫＲ−５２０６（商品名、信越化学工業株式会社製）、ＫＲ−５２３０（商品名、信越化学工業株式会社製）、ＫＲ−５２３５（商品名、信越化学工業株式会社製）、ＫＲ−９２１８（商品名、信越化学工業株式会社製）、ＫＲ−９７０６（商品名、信越化学工業株式会社製）、Ｘ−３２−１６１９（商品名、信越化学工業株式会社製）、Ｘ−３２−１９４７（商品名、信越化学工業株式会社製）、Ｘ−３２−１９６４（商品名、信越化学工業株式会社製）、Ｘ−３２−２０２０（商品名、信越化学工業株式会社製）などが挙げられる。
【０００９】
炭素数９〜１３の飽和炭化水素としては、例えばｎ−ノナン、２−メチルオクタン、４−メチルオクタン、２，２−ジメチルヘプタン、２，３−ジメチルヘプタン、２，４−ジメチルヘプタン、２，５−ジメチルヘプタン、２，６−ジメチルヘプタン、３，３−ジメチルヘプタン、３，４−ジメチルヘプタン、２，２，４−トリメチルヘキサン、２，２，５−トリメチルへキサン、２，２，４，４−テトラメチルペンタン、４−エチルヘプタン、ｎ−デカン、２−メチルノナン、３−メチルノナン、４−メチルノナン、５−メチルノナン、２，６−ジメチルオクタン、２，７−ジメチルオクタン、３，３−ジメチルオクタン、３，５−ジメチルオクタン、４，４−ジメチルオクタン、ｐ−メンタン、ｎ−ウンデカン、２−メチルデカン、４−メチルデカン、ｎ−ドデカン、２−メチルウンデカン、３−メチルウンデカン、２，２，４，６，６−ペンタメチルヘプタン、ｎ−トリデカン、２−メチルドデカン、４−メチルドデカンなどが挙げられる。炭素数９〜１３の飽和炭化水素は１つを単独で使用してもよいし、２つ以上を併用してもよい。２つ以上を併用する場合、シリコーン樹脂の除去効果が高くなる傾向にあり好ましい。２つ以上を併用する場合、例えば「キョーワゾール（登録商標）Ｃ−９００」（商品名、協和発酵工業株式会社製）、「アイソパー（登録商標）Ｇ」（商品名、エクソンモービル社製）、「ＮＳクリーン（登録商標）１００」（商品名、ジャパンエナジー社製）、「マルカゾールＲ」（商品名、丸善石油化学株式会社製）［これらの製品に、炭素数９〜１３以外の飽和炭化水素が全体の５質量％以下の量で混入していても、シリコーン樹脂の除去効果が急激に低下するものではない。］などは工業的に容易に入手することができ、好ましい。
炭素数が９未満の飽和炭化水素は引火点が大きく下がり、危険性が高く、実用的ではない。また、炭素数が１３を超える飽和炭化水素ではシリコーン樹脂の除去能力が低く、満足のいく洗浄効果を得られない。
【００１０】
本発明において、２−アセトキシ−１−メトキシプロパンと炭素数９〜１３の飽和炭化水素の組成比は、２−アセトキシ−１−メトキシプロパン：炭素数９〜１３の飽和炭化水素＝１０：９０〜７１：２９（質量比）の範囲であるのが好ましく、２−アセトキシ−１−メトキシプロパン：炭素数９〜１３の飽和炭化水素＝３０：７０〜６０：４０（質量比）の範囲であるのがより好ましい。かかる範囲外であると、シリコーン樹脂の除去効果に乏しくなり、シリコーン樹脂の除去用途としては好ましくない。
【００１１】
本発明のシリコーン樹脂用洗浄剤は、必要に応じて、他の溶剤を含有していてもよい。該他の溶剤としては、例えばｎ−オクタン、２−メチルヘプタン、３−メチルヘプタン、テトラデカン、ペンタデカン、ヘキサデカンなどの炭素数８、１４、１５または１６の飽和炭化水素：リモネン、ピネン、ミルセン、カンフェン、アロオシメン、カレン、テルピネン、１−ノネン、２−ノネン、１−デセン、２−デセン、１−ウンデセン、１−ドデセン、２−メチル−１−ウンデセン、１−トリデセンなどの不飽和炭化水素：Ｎ−メチル−２−ピロリドン、ジメチルホルムアミド、ジメチルアセトアミド、ジメチルスルホキシドなどの非プロトン性極性溶媒：エチレングリコールモノ−ｎ−ブチルエーテル、エチレングリコールモノ−ｔ−ブチルエーテル、ジエチレングリコールモノ−ｎ−ブチルエーテル、プロピレングリコールモノメチルエーテル、プロピレングリコールモノエチルエーテル、プロピレングリコールモノ−ｎ−プロピルエーテル、プロピレングリコールモノ−ｎ−ブチルエーテル、プロピレングリコールモノ−ｔ−ブチルエーテル、ジプロピレングリコールモノメチルエーテル、３−メトキシ−３−メチル−１−ブタノールなどのグリコールエーテルなどが挙げられる。かかる他の溶剤を含有する場合、その量（前記した「キョーワゾール（登録商標）Ｃ−９００」）、「アイソパー（登録商標）Ｇ」、「ＮＳクリーン（登録商標）１００」、「マルカゾールＲ」に元々含有されている場合は、その溶剤の分も合わせた量）としては、シリコーン樹脂用洗浄剤全体に対して２０質量％以下であるのが好ましく、１０質量％以下であるのがより好ましく、５質量％以下であるのがさらに好ましい。
【００１２】
シリコーン樹脂が付着した被洗浄物を本発明のシリコーン樹脂用洗浄剤によって除去する方法に特に制限は無く、例えば被洗浄物にシリコーン樹脂用洗浄剤をシャワー、スプレー、ジェット噴射する方法や、被洗浄物をシリコーン樹脂用洗浄剤に浸漬させる方法などを採用することができる。洗浄効率を高めるために超音波洗浄、揺動、撹拌等の手段を併用してもよい。
また、樹脂の吐出装置（１液ディスペンサー装置および２液ディスペンサー装置）を洗浄する場合には、１液または２液を仕込むためのタンクへ本発明のシリコーン樹脂用洗浄剤を導入し、次いで樹脂を吐出させる通常の操作を実施することによって、樹脂の吐出口から本発明のシリコーン樹脂用洗浄剤を吐出させることで、吐出装置内を全体的に効果的に洗浄することができる。
【実施例】
【００１３】
以下、実施例により本発明をさらに詳しく説明するが、本発明はかかる実施例により何ら制限されるものではない。
なお、実施例にて使用した電磁攪拌装置は以下の通りである。
［電磁攪拌装置について］
マグネチックスターラー（株式会社井内盛栄堂（現在：アズワン株式会社）製）
型番：パソリナミニスターラー  ＴＲ−１００
回転数：（１０目盛り中の）ダイヤル２で約７００ｒｐｍ
回転子（スターラーバー）
長さ３．５ｃｍ、直径０．８ｃｍ
【００１４】
＜実施例１＞
表１の様に、「キョーワゾール（登録商標）Ｃ−９００」６０質量％および２−アセトキシ−１−メトキシプロパンとして「ＰＭＡ」（商品名、株式会社クラレ製）４０質量％を室温にて混合することにより洗浄剤（洗浄剤１と称する。）を調製した。
【００１５】
＜実施例２〜１０＞
表１に記載の配合に従い、実施例１と同様にして洗浄剤を調製した（表１に示したように、それぞれ、洗浄剤２〜１０とする。）。
【００１６】
【表１】
2010132713.tif 000002
【００１７】
＜試験例１＞
１液硬化型シリコーン樹脂であるＨＣ２０００（商品名、東レ・ダウコーニング株式会社製）０．１０ｇをそのままスライドグラス（縦７．６ｃｍ、横２．６ｃｍ）に塗布した。一方、２液硬化型シリコーン樹脂であるＳＥ１７２０ＣＶ（商品名、東レ・ダウコーニング株式会社製）は、２液を混合して得られた樹脂０．０２ｇをスライドグラス（縦７．６ｃｍ、横２．６ｃｍ）に塗布し、１分間放置した場合と１０分間放置した場合の２通りを準備した。
電磁攪拌装置を備えた内容積２００ｍｌのビーカー（高さ８．５ｃｍ、直径７ｃｍ）を３つ用意し、それぞれに実施例１で得た「洗浄剤１」１８０ｍｌを入れた。シリコーン樹脂を塗布した前記スライドグラス（合計３枚）をそれぞれのビーカー内の洗浄剤１へ浸し、マグネチックスターラーを用いてダイヤル２にて一定の速度（約７００ｒｐｍ）で攪拌した。樹脂が溶解する様子を観測した。その結果を表２に示す。
【００１８】
＜試験例２〜１０＞
洗浄剤１の代わりに、洗浄剤２、洗浄剤３、洗浄剤４、洗浄剤５、洗浄剤６、洗浄剤７、洗浄剤８、洗浄剤９または洗浄剤１０を使用した以外は試験例１と同様に試験および観測を行なった。その結果を表２に示す。
【００１９】
【表２】
2010132713.tif 000003
【００２０】
＜参考例１＞
「２０８２Ｅ」（商品名、エポキシ樹脂、スリーボンド社製）、「Ｅ−２０ＨＰ」（商品名、エポキシ樹脂、ロックタイト社製）および「Ｕ−１０ＦＬ」（商品名、ウレタン樹脂、ロックタイト社製）について、それぞれ２液を混合して得られた樹脂０．０２ｇをスライドグラス（縦７．６ｃｍ、横２．６ｃｍ）に塗布し、１分間放置した場合と１０分間放置した場合の２通りを準備した。
電磁攪拌装置を備えた内容積２００ｍｌのビーカー（高さ８．５ｃｍ、直径７ｃｍ）を６つ用意し、それぞれに実施例１で得た「洗浄剤１」１８０ｍｌを入れた。各樹脂を塗布した前記スライドグラス（合計６枚）を、それぞれのビーカー内の洗浄剤１へ浸し、マグネチックスターラーを用いてダイヤル２にて一定の速度（約７００ｒｐｍ）で攪拌した。樹脂が溶解する様子を観測した結果を表３に示す。
【００２１】
＜参考例２〜５＞
洗浄剤１の代わりに洗浄剤２、洗浄剤３、洗浄剤４または洗浄剤５を使用したこと以外は参考例１と同様に試験および観測を行なった。その結果を表３に示す。
【００２２】
【表３】
2010132713.tif 000004
【００２３】
表１および表３より、本発明の洗浄剤は、特にシリコーン樹脂の洗浄効果に優れており、シリコーン樹脂用洗浄剤として非常に有用であることがわかった。
【００２４】
＜比較例１〜５＞
表４に記載の配合に従い、実施例１と同様にして洗浄剤（表４に示したように、それぞれ、比較洗浄剤１〜５とする。）を調製した。
【００２５】
【表４】
2010132713.tif 000005
【００２６】
＜比較試験例１＞
１液硬化型シリコーン樹脂（東レ・ダウコーニング株式会社製、ＨＣ２０００）０．１０ｇをそのままスライドグラス（縦７．６ｃｍ、横２．６ｃｍ）に塗布した。一方、２液硬化型シリコーン樹脂（東レ・ダウコーニング株式会社製、ＳＥ１７２０ＣＶ）は、２液を混合してから、得られた樹脂０．０２ｇをスライドグラス（縦７．６ｃｍ、横２．６ｃｍ）に塗布し、１０分間放置した。それから、電磁攪拌装置を備えた内容積２００ｍｌのビーカー（高さ８．５ｃｍ、直径７ｃｍ）を２つ用意し、それぞれに比較例１で得た「比較洗浄剤１」１８０ｍｌを入れた。シリコーン樹脂を塗布した前記スライドグラス（合計２枚）をそれぞれのビーカー内の比較洗浄剤１に浸し、マグネチックスターラーを用いてダイヤル２にて一定の速度（約７００ｒｐｍ）で攪拌した。樹脂が溶解する様子を観測した結果を表５に示す。そして、浸漬してから樹脂が溶解する様子を観測した。結果を表５に示す。
【００２７】
＜比較試験例２〜５＞
比較洗浄剤１の代わりに比較洗浄剤２〜５を使用したこと以外は、比較試験例１と同様に試験および観測を行なった。結果を表５に示す。
【００２８】
【表５】
2010132713.tif 000006
【００２９】
表２および表５より、シリコーン樹脂の除去効果において、本発明の洗浄剤は従来の他の洗浄剤と比べて、１液型および２液型シリコーン樹脂のいずれにも共通して優れた効果を発揮しており、シリコーン樹脂用洗浄剤として有用であることがわかった。
【産業上の利用可能性】
【００３０】
本発明のシリコーン樹脂用洗浄剤は、被洗浄物に付着したシリコーン樹脂を除去するのに利用可能である。